(57)【要約】【課題】本発明は、簡単にかつ安定に管を床に保持させることが出来、作業員が一人でも床下側から簡単に配管作業をすることを可能とし、作業員数を削減し、作業の手間や労力を軽減することを課題とする。【解決手段】内側に管３が挿通される輪体４Ａの内周に管３を係止する係止爪６Ａを設けた管保持具１Ａを提供する。建物の床２の所定個所に配管孔８を設け、該配管孔８の上端に上記管保持具１Ａを取付け、該配管孔８に直管３を挿通して該管保持具１Ａの係止爪６Ａによって該直管３を係止し、該直管３の下端には管継手１０を介して集合ますに連絡している可撓管１１を接続し、該直管３の上端には建物内排水設備に連絡している排水管１９を接続する。【選択図】    図１
2004176249.tif 000002
【特許請求の範囲】
【請求項１】
内側に管が挿通される輪体の内周に管を係止する係止爪を設けたことを特徴とする管保持具。
【請求項２】
該輪体の下面からは筒体が延設されている請求項１に記載の管保持具。
【請求項３】
内側に管が挿通される短筒体の内周に管を係止する内側係止爪を設け、外周に建物の床に設けた配管孔の内周壁に係止する外側係止爪を設けたことを特徴とする管保持具。
【請求項４】
内側に管が挿通される短筒体の内周に管を係止する係止爪を設け、外周には建物の床に設けた配管孔の周縁部に当接するフランジを設けたことを特徴とする管保持具。
【請求項５】
建物の床の所定個所に配管孔を設け、該配管孔の上端に請求項１または請求項２に記載の管保持具を取付け、該配管孔に直管を挿通して該管保持具の係止爪によって該直管を係止し、該直管の下端には管継手を介して集合ますに連絡している可撓管を接続し、該直管の上端には建物内排水設備に連絡している排水管を接続したことを特徴とする排水配管構造。
【請求項６】
建物の床の所定個所に配管孔を設け、該配管孔内に請求項３に記載の管保持具を挿着し、該配管孔内周壁に該管保持具の外側係止爪を係止させ、該管保持具内側に直管を挿通して該管保持具の内側係止爪によって該直管を係止し、該直管の下端には管継手を介して集合ますに連絡している可撓管を接続し、該直管の上端には建物内排水設備に連絡している排水管を接続したことを特徴とする排水配管構造。
【請求項７】
建物の床の所定個所に配管孔を設け、該配管孔内に請求項４に記載の管保持具を挿着し、該配管孔の上端または下端周縁部に該管保持具のフランジを当接して固定し、該管保持具内側に直管を挿通して該管保持具の係止爪によって該直管を係止し、該直管の下端には管継手を介して集合ますに連絡している可撓管を接続し、該直管の上端には建物内排水設備に連絡している排水管を接続したことを特徴とする排水配管構造。
【請求項８】
建物の床の所定個所に配管孔を設け、該配管孔の上端に請求項１または請求項２に記載の管保持具を取付け、一方直管の下端には管継手を介して集合ますに連絡している可撓管を接続すると共に床下から該直管を該配管孔に挿通して該管保持具の係止爪によって該直管を係止し、該直管の上端には建物内排水設備に連絡している排水管を接続することを特徴とする排水配管施工方法。
【請求項９】
該直管の下端に接続する管継手の両端には受口が設けられ、該管継手上側受口には該直管の下端が挿入接着固定され、該管継手下側受口の外周には周リブが形成されており、該下側受口に可撓管上流端を接続し、該下側受口の外周と該可撓管外周とにまたがって内周に該下側受口の周リブと該可撓管の凸環部とに係合する周溝を形成した割リングを取付けることによって該下側受口から該可撓管上流端が抜け出すことを防止した請求項８に記載の排水配管施工方法。
【請求項１０】
建物の床の所定個所に配管孔を設け、該配管孔内に請求項３に記載の管保持具を挿着し、一方直管の下端には管継手を介して集合ますに連絡している可撓管を接続すると共に該配管孔内周壁に該管保持具の外側係止爪を係止させかつ床下から該管保持具内側に直管を挿通して該管保持具の内側係止爪によって該直管を係止し、該直管の上端には建物内排水設備に連絡している排水管を接続することを特徴とする排水配管施工方法。
【請求項１１】
該直管の下端に接続する管継手の両端には受口が設けられ、該管継手上側受口には該直管の下端が挿入接着固定され、該管継手下側受口の外周には周リブが形成されており、該下側受口に可撓管上流端を接続し、該下側受口の外周と該可撓管外周とにまたがって内周に該下側受口の周リブと該可撓管の凸環部とに係合する周溝を形成した割リングを取付けることによって該下側受口から該可撓管上流端が抜け出すことを防止した請求項１０に記載の排水配管施工方法。
【請求項１２】
建物の床の所定個所に配管孔を設け、該配管孔内に請求項４に記載の管保持具を挿着し、一方直管の下端には管継手を介して集合ますに連絡している可撓管を接続するとともに該配管孔の上端または下端周縁部に該管保持具のフランジを当接して固定し、かつ床下から該管保持具内側に直管を挿通して該管保持具の係止爪によって該直管を係止し、該直管の上端には建物内排水設備に連絡している排水管を接続していることを特徴とする排水配管施工方法。
【請求項１３】
該直管の下端に接続する管継手の両端には受口が設けられ、該管継手上側受口には該直管の下端が挿入接着固定され、該管継手下側受口の外周には周リブが形成されており、該下側受口に可撓管上流端を接続し、該下側受口の外周と該可撓管外周とにまたがって内周に該下側受口の周リブと該可撓管の凸環部とに係合する周溝を形成した割リングを取付けることによって該下側受口から該可撓管上流端が抜け出すことを防止した請求項１２に記載の排水配管施工方法。
【発明の詳細な説明】
【０００１】
【発明の属する技術分野】
本発明は、主として排水配管が建物の床を通り抜ける個所において使用される管保持具、排水配管構造および排水配管施工方法に関する。
【０００２】
【従来の技術】
例えば台所、浴場、洗面所、便所等の建物内排水設備からの排水配管は、建物内の床上に設置される排水設備から床(2P)を通り抜けて床下に設置される集合ますに至る。
従来、図１４に示すように、排水配管が建物の床(2P)を通り抜ける個所において該床(2P)に配管孔(8P)を設け、該配管孔(8P)内側に、上端にフランジ(24P) を設けた直管(3P)を上側から挿通し、該直管(3P)下端に管継手(10P) の下側受口(12P) に可撓管(11P) を接続した状態で、管継手(10P) の上側受口(12P) を該直管(3P)下端に接続した後に、排水管(19P) を該直管(3P)の上端に接続する配管方法が一般に提供されている（例えば、特許文献１参照。）。
【０００３】
【特許文献１】
特開平７−９０８９４号公報（第２−３頁、第１図）
【０００４】
【発明が解決しようとする課題】
しかしながら上記従来の配管方法では、直管(3P)には上端にフランジ(24P) が設けられているので、配管孔(8P)に床上側から直管(3P)を挿通する必要がある。そして、直管(3P)を挿通した状態で、床下側から該直管(3P)に管継手(10P) を介して可撓管(11P) を接続しなければならない。したがって、作業員が一人で配管作業をするのは不可能であり、床上と床下に一人ずつ作業員を配置する必要があるため、配管作業に手間や労力を要するという問題があった。
また、配管作業中に可撓管(11P) が管継手(10P) から抜け出すのを防ぐためには、吊りバンド(25P) 等の支持具を用いて可撓管(11P) および管継手(10P) を支持する必要があるが、吊りバンド(25P) 等の支持具を用いた配管作業は作業工数が多いため、配管作業に手間や労力を要するという問題もあった。
【０００５】
【課題を解決するための手段】
本発明は上記従来の課題を解決するための手段として、内側に管(3) が挿通される輪体(4) の内周に管(3) を係止する係止爪(6) を設けた管保持具(1) を提供するものである。
該輪体(4) の下面からは筒体(5) が延設されていることが望ましい。
この場合、建物の床(2) の所定個所に配管孔(8) を設け、該配管孔(8) の上端に上記管保持具(1) を取付け、該配管孔(8) に直管(3) を挿通して該管保持具(1) の係止爪(6) によって該直管(3) を係止し、該直管(3) の下端には管継手(10)を介して集合ますに連絡している可撓管(11)を接続し、該直管(3) の上端には建物内排水設備に連絡している排水管(19)を接続した排水配管構造であることが望ましい。
また、建物の床(2) の所定個所に配管孔(8) を設け、該配管孔(8) の上端に上記管保持具(1) を取付け、一方直管(3) の下端には管継手(10)を介して集合ますに連絡している可撓管(11)を接続すると共に床下から該直管(3) を該配管孔(8) に挿通して該管保持具(1) の係止爪(6) によって該直管(3) を係止し、該直管(3) の上端には建物内排水設備に連絡している排水管(19)を接続する排水配管施工方法に使用されると有用であり、更に、該直管(3) の下端に接続する管継手(10)の両端には受口(12)が設けられ、該管継手(10)上側受口(12)には該直管(3) の下端が挿入接着固定され、該管継手(10)下側受口(12)の外周には周リブ(16)が形成されており、該下側受口(12)に可撓管(11)上流端を接続し、該下側受口(12)の外周と該可撓管(11)外周とにまたがって内周に該下側受口(12)の周リブ(16)と該可撓管(11)の凸環部(17A) とに係合する周溝(18)を形成した割リング(15)を取付けることによって該下側受口(12)から該可撓管(11)上流端が抜け出すことを防止したことが望ましい。
【０００６】
または、内側に管(3) が挿通される短筒体(21)の内周に管(3) を係止する内側係止爪(22)を設け、外周に建物の床(2) に設けた配管孔(8) の内周壁に係止する外側係止爪(23)を設けた管保持具(20)を提供することが望ましい。
この場合、建物の床(2) の所定個所に配管孔(8) を設け、該配管孔(8) 内に上記管保持具(20)を挿着し、該配管孔(8) 内周壁に該管保持具(20)の外側係止爪(23)を係止させ、該管保持具(20)内側に直管(3) を挿通して該管保持具(20)の内側係止爪(22)によって該直管(3) を係止し、該直管(3) の下端には管継手(10)を介して集合ますに連絡している可撓管(11)を接続し、該直管(3) の上端には建物内排水設備に連絡している排水管(19)を接続した排水配管構造であることが望ましい。
また、建物の床(2) の所定個所に配管孔(8) を設け、該配管孔(8) 内に上記管保持具(20)を挿着し、一方直管(3) の下端には管継手(10)を介して集合ますに連絡している可撓管(11)を接続すると共に該配管孔(8) 内周壁に該管保持具(20)の外側係止爪(23)を係止させかつ床下から該管保持具(20)内側に直管(3) を挿通して該管保持具(20)の内側係止爪(22)によって該直管(3) を係止し、該直管(3) の上端には建物内排水設備に連絡している排水管(19)を接続する排水配管施工方法に使用されると有用であり、更に、該直管(3) の下端に接続する管継手(10)の両端には受口(12)が設けられ、該管継手(10)上側受口(12)には該直管(3) の下端が挿入接着固定され、該管継手(10)下側受口(12)の外周には周リブ(16)が形成されており、該下側受口(12)に可撓管(11)上流端を接続し、該下側受口(12)の外周と該可撓管(11)外周とにまたがって内周に該下側受口(12)の周リブ(16)と該可撓管(11)の凸環部(17A) とに係合する周溝(18)を形成した割リング(15)を取付けることによって該下側受口(12)から該可撓管(11)上流端が抜け出すことを防止したことが望ましい。
【０００７】
更に、内側に管(3) が挿通される短筒体(31)の内周に管(3) を係止する係止爪(33)を設け、外周には建物の床(2) に設けた配管孔(8) の周縁部に当接するフランジ(32)を設けた管保持具(30)を提供することが望ましい。
この場合、建物の床(2) の所定個所に配管孔(8) を設け、該配管孔(8) 内に請求項４に記載の管保持具(30)を挿着し、該配管孔(8) の上端または下端周縁部に該管保持具(30)のフランジ(32)を当接して固定し、該管保持具(30)内側に直管(3) を挿通して該管保持具(30)の係止爪(33)によって該直管(3) を係止し、該直管(3) の下端には管継手(10)を介して集合ますに連絡している可撓管(11)を接続し、該直管(3) の上端には建物内排水設備に連絡している排水管(19)を接続した排水配管構造であることが望ましい。
また、建物の床(2) の所定個所に配管孔(8) を設け、該配管孔(8) 内に請求項４に記載の管保持具(30)を挿着し、一方直管(3) の下端には管継手(10)を介して集合ますに連絡している可撓管(11)を接続するとともに該配管孔(8) の上端または下端周縁部に該管保持具(30)のフランジ(32)を当接して固定し、かつ床下から該管保持具(30)内側に直管(3) を挿通して該管保持具(30)の係止爪(33)によって該直管(3) を係止し、該直管(3) の上端には建物内排水設備に連絡している排水管(19)を接続している排水配管施工方法に使用されると有用であり、更に、該直管(3) の下端に接続する管継手(10)の両端には受口(12)が設けられ、該管継手(10)上側受口(12)には該直管(3) の下端が挿入接着固定され、該管継手(10)下側受口(12)の外周には周リブ(16)が形成されており、該下側受口(12)に可撓管(11)上流端を接続し、該下側受口(12)の外周と該可撓管(11)外周とにまたがって内周に該下側受口(12)の周リブ(16)と該可撓管(11)の凸環部(17A) とに係合する周溝(18)を形成した割リング(15)を取付けることによって該下側受口(12)から該可撓管(11)上流端が抜け出すことを防止したことが望ましい。
【０００８】
【作用】
本発明の管保持具(1,20,30) では、内側に管(3) が挿通される輪体(4) または短筒体(21,31) の内周に管(3) を係止するための係止爪(6,33)または内側係止爪(22)が設けられているので、床下側から該管保持具(1,20,30) に管(3) を挿入し、該管保持具(1,20,30) の係止爪(6,33)または内側係止爪(22)に管(3) を係止させることによって管(3) を保持させる。該管(3) には床下において集合ますに連絡している可撓管(11)を接続し、床上において建物内排水設備からの排水管(19)を接続する。
【０００９】
【発明の実施の形態】
〔実施例１〕
本発明を図１〜図６に示す一実施例によって説明する。本実施例では、図１に示す管保持具(1A)を用いて、例えば台所、浴場、洗面所、便所等の建物内の床上に設定される排水設備（図示せず）から床(2) を通り抜けて床下に設置される集合ます（図示せず）までの排水配管を行なう場合を例示する。
【００１０】
図１に示すように、管保持具(1A)は、内側に直管(3) が挿通される輪体(4A)と、該輪体(4A)の下面から延設されている筒体(5A)とからなり、該輪体(4A)の内周には直管(3) を係止するための上向き係止爪(6A)が設けられており、該輪体(4A)の所定個所には該輪体(4A)を床(2) に取付け固定するための釘穴(7) が３個設けられている。
【００１１】
建物の床(2) は、例えば、大引(201) と、該大引(201) 上に支持される下板(202) と、該下板(202) を介して大引(201) 上に支持される根太(203) と、該根太(203) 上に支持される床板(204) と、該床板(204) 上に敷設される床材(205) とからなり、床板(204) と下板(202) との間には断熱材(206) が充填されている。
【００１２】
該管保持具(1A)を用いて排水配管作業を行なう場合には、図２に示すように、建物の床(2) の所定個所にホルソー等を使用して配管孔(8) を設け、該配管孔(8) の上端に上記管保持具(1A)を配置し、釘(9) によって床板(204) に取付け固定する。
【００１３】
次に、図３に示すように、直管(3) の下端に曲管継手(10)を取付け、該曲管継手(10)を介して集合ますに連絡している可撓管(11)を接続するとともに、該直管(3) を床下から該配管孔(8) に挿通して該管保持具(1A)の係止爪(6A)によって該直管(3) を係止する。
この際、該管保持具(1A)の輪体(4A)の下面から延設されている筒体(5A)によって該直管(3) が誘導されるため、直管(3) を挿通する作業が容易となるとともに、挿通後の直管(3) のおさまりも良好となる。
【００１４】
この場合、図４に示すように、該直管(3) の下端に接続する曲管継手(10)の両端には受口(12)が設けられており、該曲管継手(10)の上側受口(12)に該直管(3) の下端を挿入して接着固定する。該曲管継手(10)の下側受口(12)にはＯリング(13)を介して可撓管(11)の上流端が接続されており、更に、該曲管継手(10)の下側受口(12)の外周と該可撓管(11)外周とにまたがって、ヒンジ(14)を介して開閉自在の割リング(15)が挟着されている（図６参照）。
【００１５】
すなわち、該曲管継手(10)の下側受口(12)の外周には周リブ(16)が形成され、該可撓管(11)の外周には凸環部(17A) と凹溝部(17B) とが交互に形成されており、該割リング(15)の内周には該曲管継手(10)の下側受口(12)の周リブ(16)と該可撓管(11)の凸環部(17A) とに係合する周溝(18A,18B) がそれぞれ形成されている（図４および図６参照）。
このように、曲管継手(10)と可撓管(11)との接続部に割リング(15)を取付けることによって、該曲管継手(10)下側受口(12)から該可撓管(11)上流端が抜け出すことを防止することが出来る。
【００１６】
そして、図５に示すように、該直管(3) の上端に建物内排水設備に連絡している排水管(19)を４５度エルボー(191) を介して床上から接着剤を用いて接続固定して排水配管が完了する。
上記のようにして、管保持具(1A)を用いて排水配管作業を行なうことにより、該管保持具(1A)に床下側から直管(3) を挿入し、該管保持具(1A)の係止爪(6A)に直管(3) を係止させることによって簡単にかつ安定に該直管(3) を保持させて、作業員が一人でも簡単に床下側から配管作業をすることが出来、作業の手間や労力を軽減することが可能となる。
また、割リング(15)を用いて該曲管継手(10)下側受口(12)から該可撓管(11)上流端が抜け出すことを防止することが出来るので、吊りバンド(25P) 等の支持具を用いる必要がなく、作業工数を減らして配管作業の手間や労力を軽減することが可能となる。
更に、管保持具(1A)の輪体(4A)の厚みを薄く設定することにより、管保持具(1A)を取付けた後の出っ張りが少なく、床板(204) 上に床材(205) を敷設する床(2) の仕上（化粧）加工を行なうのが容易となる。
【００１７】
本実施例以外、図７（イ）に示すように、内側に管(3) が挿通される輪体(4B)と、該輪体(4B)の下面から延設されている筒体(5B)とからなり、該輪体(4B)の内周には管(3) を係止するための下向き係止爪(6B)が設けられている管保持具(1B)が使用されてもよい。
また、該輪体(4) の下面から筒体(5) を延設することなく、図７（ロ）に示すように、内側に管(3) が挿通される輪体(4C)の内周に管(3) を係止するための上向き係止爪(6C)が設けられている管保持具(1C)であってもよく、更に、図７（ハ）に示すように、内側に管(3) が挿通される輪体(4D)の内周に管(3) を係止するための下向き係止爪(6D)が設けられている管保持具(1D)であってもよい。
【００１８】
〔実施例２〕
図８および図９には他の実施例が示される。
図８に示すように、管保持具(20A) は、内側に直管が挿通される短筒体(21A) からなり、該短筒体(21A) の内周には直管を係止するための上向き内側係止爪(22A) が複数個設けられており、該短筒体(21A) の外周には建物の床(2) に設けた配管孔(8) の内周壁に係止するための上向き外側係止爪(23A) が複数個設けられている。
【００１９】
該管保持具(20A) を用いて排水配管作業を行なう場合には、図９に示すように、建物の床(2) の所定個所にホルソー等を使用して配管孔(8) を設け、該配管孔(8) 内に該管保持具(20A) を挿着して、該配管孔(8) 内周壁に該管保持具(20A) の外側係止爪(23A) で係止させる。
次に、直管(3) の下端に曲管継手(10)を取付け、該曲管継手(10)を介して集合ますに連絡している可撓管(11)を接続するとともに、該直管(3) を床下から該管保持具(20A) 内側に挿通して該管保持具(20A) の内側係止爪(22A) によって該直管(3) を係止する。
【００２０】
この場合、実施例１と同様に、該直管(3) の下端に接続する曲管継手(10)の両端には受口(12)が設けられており、該曲管継手(10)の上側受口(12)に該直管(3) の下端を挿入し接着固定する。該曲管継手(10)の下側受口(12)にはＯリング(13)を介して可撓管(11)の上流端が接続されており、更に、該曲管継手(10)の下側受口(12)の外周と該可撓管(11)の外周とにまたがって、ヒンジ(14)を介して開閉自在の割リング(15)が挟着されている（図６参照）。
【００２１】
すなわち、該曲管継手(10)の下側受口(12)の外周には周リブ(16)が形成され、該可撓管(11)上流端の外周には凸環部(17A) と凹溝部(17B) とが交互に形成されており、該割リング(15)の内周には該曲管継手(10)の下側受口(12)の周リブ(16)に係合する周溝(18)と該可撓管(11)の凸環部(17A) とに係合する周溝(18A,18B) がそれぞれ形成されている（図４および図６参照）。
このように、曲管継手(10)と可撓管(11)との接続部に割リング(15)を取付けることによって、該曲管継手(10)下側受口(12)から該可撓管(11)上流端が抜け出すことを防止することが出来る。
【００２２】
そして、該直管(3) の上端に建物内排水設備に連絡している排水管(19)を４５度エルボー(191) を介して床上から接着剤を用いて接続固定して排水配管が完了する。
上記のようにして、管保持具(20A) を用いて排水配管作業を行なうことにより、該管保持具(20A) に床下側から直管(3) を挿入でき、該管保持具(20A) の係止爪に直管(3) を係止させることによって簡単にかつ安定に該直管(3) を保持させて、作業員が一人でも床下側から簡単に配管作業をすることが出来、作業の手間や労力を軽減することが可能となる。
また、割リング(15)を用いて該曲管継手(10)下側受口(12)から該可撓管(11)上流端が抜け出すことを防止することが出来るので、吊りバンド(25P) 等の支持具を用いる必要がなく、作業工数を減らして配管作業の手間や労力を軽減することが可能となる。
更に、管保持具(20A) を取付けた後の出っ張りがないので、床板(204) 上に床材(205) を敷設する床(2) の仕上（化粧）加工を行なうのが非常に容易となる。
【００２３】
本実施例以外、図１０に示すように、内側に管(3) が挿通される短筒体(21B) からなり、該短筒体(21B) の内周には管(3) を係止するための上向き内側係止爪(22B) が複数個設けられており、該短筒体(21B) の外周には建物の床(2) に設けた配管孔(8) の内周壁に係止するための下向き外側係止爪(23B) が複数個設けられている管保持具(20B) であってもよい。
【００２４】
〔実施例３〕
図１１および図１２には更に他の実施例が示される。
本実施例の管保持具(30A) は、図１１に示すように、短筒体(31A) と、該短筒体(31A) の上端周縁に設けられるフランジ(32A) と、該短筒体(31A) の下端周縁から内側に斜め上方に向けて設けられる複数個の係止爪(33A) とからなり、該フランジ(32A) には釘孔(7) が３個設けられている。
【００２５】
該管保持具(30A) を用いて排水配管作業を行なう場合には、図１２に示すように、建物の床(2) の所定個所にホルソー等を使用して配管孔(8) を設け、該配管孔(8) 内に該管保持具(30A) を挿着して、フランジ(32A) を介して釘(9) によって床板(204) に取付け固定する。
次に、直管(3) の下端に曲管継手(10)を取付け、該曲管継手(10)を介して集合ますに連絡している可撓管(11)を接続するとともに、該直管(3) を床下から該管保持具(30A) 内側に挿通し、該管保持具(30A) の係止爪(33A) によって該直管を係止する。
【００２６】
この場合、実施例１と同様に、該直管(3) の下端に接続する曲管継手(10)の両端には受口(12)が設けられており、該曲管継手(10)の上側受口(12)に該直管(3) の下端を挿入し接着固定する。該曲管継手(10)の下側受口(12)にはＯリング(13)を介して可撓管(11)の上流端が接続されており、更に、該曲管継手(10)の下側受口(12)の外周と該可撓管(11)の外周とにまたがって、ヒンジ(14)を介して開閉自在の割リング(15)が挟着されている（図６参照）。
【００２７】
すなわち、該曲管継手(10)の下側受口(12)の外周には周リブ(16)が形成され、該可撓管(11)上流端の外周には凸環部(17A) と凹溝部(17B) とが交互に形成されており、該割リング(15)の内周には該曲管継手(10)の下側受口(12)の周リブ(16)に係合する周溝(18)と該可撓管(11)の凸環部(17A) とに係合する周溝(18A,18B) がそれぞれ形成されている（図４および図６参照）。
このように、曲管継手(10)と可撓管(11)との接続部に割リング(15)を取付けることによって、該曲管継手(10)下側受口(12)から該可撓管(11)上流端が抜け出すことを防止することが出来る。
【００２８】
そして、該直管(3) の上端に建物内排水設備に連絡している排水管(19)を４５度エルボー(191) を介して床上から接着剤を用いて接続固定して排水配管が完了する。
上記のようにして、管保持具(30A) を用いて排水配管作業を行なうことにより、該管保持具(30A) に床下側から直管(3) を挿入でき、該管保持具(30A) の係止爪(33A) に直管(3) を係止させることによって簡単にかつ安定に該直管(3) を保持させて、作業員が一人でも床下側から簡単に配管作業をすることが出来、作業の手間や労力を軽減することが可能となる。
また、割リング(15)を用いて該曲管継手(10)下側受口(12)から該可撓管(11)上流端が抜け出すことを防止することが出来るので、吊りバンド(25P) 等の支持具を用いる必要がなく、作業工数を減らして配管作業の手間や労力を軽減することが可能となる。
更に、管保持具(30A) を取付けた後の出っ張りがないので、床板(204) 上に床材(205) を敷設する床(2) の仕上（化粧）加工を行なうのが非常に容易となる。
【００２９】
本実施例以外、図１３に示すように、短筒体(31B) と、該短筒体(31B) の上端周縁に設けられるフランジ(32B) と、該短筒体(31B) の下端周縁から内側に斜め上方に向けて設けられる複数個の係止爪(33B) とからなり、該フランジ(32B) には釘孔(7) が３個設けられており、該フランジ(32B) の釘孔(7) 位置以外の部分に、切欠部(321B)が設けられている管保持具(30B) であってもよい。
【００３０】
上記のように、フランジ(32B) に切欠部(321B)が設けられている場合には、例えば洗濯機などの排水設備を使用する際に、管保持具(30B) と同じ位置で該排水設備のフランジ（図示せず）を床(2) に釘止めして固定するときに、排水設備を固定するための釘に該フランジ(32B) が干渉するのを防止できる。
【００３１】
本実施例以外、該管保持具(30)のフランジ(32)は短筒体(31)の下端あるいは中間部に設けられてもよく、また、該フランジ(32)は配管孔(8) の下端周縁部に当接されて下側から釘(9) で固定されてもよい。
【００３２】
以上、本発明の実施の形態を実施例１〜実施例３により説明したが、本発明の範囲はこれらに限定されるものではなく、請求項に記載された範囲内において目的に応じて変更・変形することが可能である。
例えば、上記実施例以外、直管(3) と建物内排水設備に連絡している排水管(19)とをゴム継手（図示せず）を用いて接続固定してもよい。
【００３３】
【発明の効果】
本発明では、管保持具を用いて排水配管作業を行なうことにより、床下集合ますに連絡する可撓管を接続した管を床下側から該管保持具に挿通し、該管保持具の係止爪に該管を係止させることによって簡単にかつ安定に管を床に保持させることが出来るため、作業員が一人でも床下側から簡単に配管作業をすることが出来、作業員数の削減、作業の手間や労力の軽減が可能となる。
【図面の簡単な説明】
図１〜図６は本発明の実施例１を示すものである。
【図１】管保持具の斜視図である。
【図２】管保持具を床の配管孔に取付けた状態を示す説明側断面図である。
【図３】管保持具に直管を接続する様子を示す説明側断面図である。
【図４】直管、管継手および可撓管の接続部分の側断面図である。。
【図５】直管に排水管を接続する様子を示す説明側断面図である。
【図６】割リング（リング開き状態）の正面図である。
【図７】管保持具の他の実施例を示す側断面図である。図８および図９は本発明の実施例２を示すものである。
【図８】管保持具の斜視図である。
【図９】管保持具を用いて排水配管を行なう様子を示す説明側断面図である。
【図１０】管保持具の他の実施例を示す側断面図である。図１１および図１２は本発明の実施例３を示すものである。
【図１１】管保持具の斜視図である。
【図１２】管保持具を床の配管孔に取付けた状態を示す説明側断面図である。
【図１３】管保持具の他の実施例を示す斜視図である。
【図１４】従来例の排水配管を行なう様子を示す説明側断面図である。
【符号の説明】
1A,1B,1C,1D     管保持具
2               床
3               管（直管）
4A,4B,4C,4D     輪体
5A,5B           筒体
6A,6B,6C,6D     係止爪
8               配管孔
10              管継手（曲管継手）
11              可撓管
12              受口
15              割リング
16              周リブ
17A             凸環部
18A,18B         周溝
19              排水管
20A,20B         管保持具
21A,21B         短筒体
22A,22B         内側係止爪
23A,23B         外側係止爪
30A,30B         管保持具
31A,31B         短筒体
32A,32B         フランジ
321B            切欠部
33A,33B         係止爪
【図１】
2004176249.tif 000003
【図２】
2004176249.tif 000004
【図３】
2004176249.tif 000005
【図４】
2004176249.tif 000006
【図５】
2004176249.tif 000007
【図６】
2004176249.tif 000008
【図７】
2004176249.tif 000009
【図８】
2004176249.tif 000010
【図９】
2004176249.tif 000011
【図１０】
2004176249.tif 000012
【図１１】
2004176249.tif 000013
【図１２】
2004176249.tif 000014
【図１３】
2004176249.tif 000015
【図１４】
2004176249.tif 000016